(57)【要約】  本開示は冷蔵庫を提供する。当該冷蔵庫は内部に先端が開放している冷却室が画定される筐体と、前記冷却室を開閉するように前記筐体の前方で前記筐体の側壁に回動可能に接続される扉体と、前記筐体に接続された時に前記冷却室を上から下へ順次分布する複数の冷却室に区画するように前記冷却室内で前記筐体に着脱可能に接続される可動の仕切版と、を含む。
2021503067.tif 000002
【特許請求の範囲】
【請求項１】
内部に先端が開放している冷却室が画定される筐体と、
前記冷却室を開閉するように前記筐体の前方で前記筐体の側壁に回動可能に接続される扉体と、
前記筐体に接続された時に、前記冷却室を上から下へ順次分布する複数の冷却室に区画するように前記冷却室内で前記筐体に着脱可能に接続される可動の仕切板と、を含む、
ことを特徴とする冷蔵庫。
【請求項２】
前記冷蔵庫はダクトアセンブリ、ファン及び蒸発器をさらに含み、
前記ダクトアセンブリは前記筐体に接続され、前記ダクトアセンブリは、前記ファンを収容するためのファン室と、前記蒸発器を収容するための蒸発室と、複数の排気ダクト及び還気ダクトとを有し、前記ダクトアセンブリは、前記複数の冷却室に一対一に対応する複数組の流通口を有し、各組の流通口は少なくとも１つの排気口、及び少なくとも１つの還気口を含む、
ことを特徴とする請求項１に記載の冷蔵庫。
【請求項３】
各組の流通口の排気口は、同じ排気ダクトに連通し、かつ複数の排気ダクトが互いに連通せず、各前記排気ダクトは、前記ファン室に選択的に連通し、前記蒸発室は、前記還気ダクト及び前記ファン室にそれぞれ連通する、
ことを特徴とする請求項２に記載の冷蔵庫。
【請求項４】
各前記排気ダクトと前記ファン室との間には、いずれも開閉可能なダンパが設けられ、前記複数のダンパは互いに独立している、
ことを特徴とする請求項３に記載の冷蔵庫。
【請求項５】
前記冷却室の数は２つであり、上冷却室に連通する排気口、還気口、排気ダクト、還気ダクトはそれぞれ第１の排気口、第１の還気口、第１の排気ダクト、第１の還気ダクトであり、下冷却室に連通する排気口、還気口、排気ダクト、還気ダクトはそれぞれ第２の排気口、第２の還気口、第２の排気ダクト、第２の還気ダクトであり、前記第１の排気ダクトの数は２つであり、且つ前記ファン室の左側と右側に対称に分布しており、前記第２の排気ダクトが前記ファン室の下側に位置する、
ことを特徴とする請求項３または４に記載の冷蔵庫。
【請求項６】
前記第１の還気ダクトの数は２つであり、且つ前記第１の排気ダクトの下にそれぞれ位置し、前記第２の排気ダクトは２つの前記第１の還気ダクトの間に位置する、
ことを特徴とする請求項５に記載の冷蔵庫。
【請求項７】
前記第２の還気ダクトは前記第２の排気ダクトの下に位置し、且つ２つの前記第１の還気ダクトの間に位置する、
ことを特徴とする請求項６に記載の冷蔵庫。
【請求項８】
前記ダクトアセンブリは、フロントカバー、リアカバー、及びこれらの間に位置する中間仕切板を含み、前記フロントカバーと前記中間仕切板は共に前記還気ダクト、前記排気ダクト及び前記ファン室を画定し、前記複数組の流通口はいずれも前記フロントカバー上に形成され、前記リアカバー及び前記中間仕切板は蒸発室を画定し、前記中間仕切板は、前記ファン室と前記蒸発室とを連通する第１の貫通孔と、前記還気ダクトと前記蒸発室とを連通する第２の貫通孔と、を有する、
ことを特徴とする請求項３〜７のいずれか一項に記載の冷蔵庫。
【請求項９】
前記仕切板は前後方向に沿って前記筐体と摺動係合する、
ことを特徴とする請求項１〜８のいずれか一項に記載の冷蔵庫。
【請求項１０】
前記筐体の左側壁と右側壁にそれぞれ左スライドレールと右スライドレールが設けられ、前記左スライドレールと前記右スライドレールは左右方向に一対一に対応し、前記仕切板の左端は前記左スライドレールと前後方向に摺動係合している左スロットを有し、前記仕切板の右端は前記右スライドレールと前後方向に摺動係合している右スロットを有する、
ことを特徴とする請求項９に記載の冷蔵庫。
【請求項１１】
前記仕切板の前端に前記扉体に対向するシールストリップが設けられる、
ことを特徴とする請求項１０に記載の冷蔵庫。
【請求項１２】
前記筐体の内壁には、取り外された仕切板を仮固定して前記仕切板を前記筐体の内壁に密着させるための位置決め部材がさらに設けられる、
ことを特徴とする請求項１〜１１のいずれか一項に記載の冷蔵庫。
【請求項１３】
各前記冷却室に対応する１組の排気口に連通する前記排気ダクト内に位置するサーモスタットをさらに含む、
ことを特徴とする請求項２〜８のいずれか一項に記載の冷蔵庫。
【発明の詳細な説明】
【技術分野】
【０００１】
本願は、家電製造の分野に関し、特に、冷蔵庫に関する。
【０００２】
［関連出願の相互参照］
本願は、２０１７年１１月３０日に中国特許庁に提出された、出願番号が第２０１７１１２４４０１８．６であり、発明名称が「冷蔵庫」である中国特許出願の優先権を主張し、その内容全体を参照により本願に援用する。
【背景技術】
【０００３】
関連技術では、観音開き冷蔵庫は、通常、左側が冷凍室であり、右側が冷蔵室であり、冷蔵室及び冷凍室の幅が非常に狭く、高さが比較的高く、顧客が実際に使用する際に、比較的大きいサイズの食品を収納することができない。しかも冷凍室の空間が固定され、顧客個人のニーズを満たすことができず、また冷凍室の幅は冷蔵室の幅よりも狭く、外観に違和感がある。
【発明の概要】
【発明が解決しようとする課題】
【０００４】
本開示は従来技術における技術的問題の１つを少なくとも解決することを目的とする。そのため、本開示は、ユーザのニーズに応じて冷却室の空間を調整できる冷蔵庫を提供する。
【課題を解決するための手段】
【０００５】
本開示の実施例に係る冷蔵庫は、内部に先端が開放している冷却室が画定される筐体と、前記冷却室を開閉するように前記筐体の前方で前記筐体の側壁に回動可能に接続される扉体と、前記筐体に接続された時に前記冷却室を上から下へ順次分布する複数の冷却室に区画するように前記冷却室内で前記筐体に着脱可能に接続される可動の仕切版と、を含む。
【０００６】
本開示の実施例に係る冷蔵庫によれば、可動の仕切版を設けることで、冷蔵庫の冷却室の空間をユーザのニーズに応じて調整することができ、冷蔵庫の冷却室の空間をユーザのニーズに応じてより合理的に運用することができ、冷蔵庫のユーザ体験を向上させ、さらに冷蔵庫の市場シェアの拡大につながる。
【０００７】
本開示の一実施例では、前記冷蔵庫はダクトアセンブリ、ファン及び蒸発器をさらに含み、前記ダクトアセンブリは前記筐体に接続され、前記ダクトアセンブリは、前記ファンを収容するためのファン室、前記蒸発器を収容するための蒸発室、複数の排気ダクト及び還気ダクトを有し、前記ダクトアセンブリは、前記複数の冷却室に一対一に対応する複数組の流通口を有し、各組の流通口は少なくとも１つの排気口及び少なくとも１つの還気口を含む。
【０００８】
いくつかの実施例では、各組の流通口の排気口は、同じ排気ダクトに連通しかつ複数の排気ダクトが互いに連通せず、各前記排気ダクトは、前記ファン室に選択的に連通し、前記蒸発室は、前記還気ダクト及び前記ファン室にそれぞれ連通する。
【０００９】
いくつかの実施例では、各前記排気ダクトと前記ファン室との間にはいずれも開閉可能なダンパが設けられ、前記複数のダンパは互いに独立している。
【００１０】
いくつかの実施例では、前記冷却室の数は２つであり、上冷却室に連通する排気口、還気口、排気ダクト、還気ダクトはそれぞれ第１の排気口、第１の還気口、第１の排気ダクト、第１の還気ダクトであり、下冷却室に連通する排気口、還気口、排気ダクト、還気ダクトはそれぞれ第２の排気口、第２の還気口、第２の排気ダクト、第２の還気ダクトであり、前記第１の排気ダクトの数は２つであり、且つ前記ファン室の左側と右側に対称に分布しており、前記第２の排気ダクトが前記ファン室の下側に位置する。
【００１１】
いくつかの実施例では、前記第１の還気ダクトの数は２つであり、且つ前記第１の排気ダクトの下にそれぞれ位置し、前記第２の排気ダクトは２つの前記第１の還気ダクトの間に位置する。
【００１２】
いくつかの実施例では、前記第２の還気ダクトは前記第２の排気ダクトの下に位置し、且つ２つの前記第１の還気ダクトの間に位置する。
【００１３】
いくつかの実施例では、前記ダクトアセンブリはフロントカバー、リアカバー、及びこれらの間に位置する中間仕切板を含み、前記フロントカバーと前記中間仕切板は共に前記還気ダクト、前記排気ダクト及び前記ファン室を画定し、前記複数組の流通口はいずれも前記フロントカバー上に形成され、前記リアカバー及び前記中間仕切板は蒸発室を画定し、前記中間仕切板は、前記ファン室と前記蒸発室とを連通する第１の貫通孔と、前記還気ダクトと前記蒸発室とを連通する第２の貫通孔と、を有する。
【００１４】
一実施例では、前記仕切板は前後方向に沿って前記筐体と摺動係合する。
【００１５】
いくつかの実施例では、前記筐体の左側壁と右側壁にそれぞれ左スライドレールと右スライドレールが設けられ、前記左スライドレールと前記右スライドレールは左右方向に一対一に対応し、前記仕切板の左端は前記左スライドレールと前後方向に摺動係合している左スロットを有し、前記仕切板の右端は前記右スライドレールと前後方向に摺動係合している右スロットを有する。
【００１６】
いくつかの実施例では、前記仕切板の前端に前記扉体に対向するシールストリップが設けられる。
【００１７】
本開示の一実施例では、前記筐体の内壁には、取り外された仕切板を仮固定して前記仕切板を前記筐体の内壁に密着させるための位置決め部材がさらに設けられる。
【００１８】
いくつかの実施例では、本開示に係る冷蔵庫は、各前記冷却室に対応する１組の排気口に連通する前記排気ダクト内に位置するサーモスタットをさらに含む。
【発明の効果】
【００１９】
本開示の追加の態様及び利点については、一部は以下の説明で与えられ、他の一部は以下の説明から明らかになるか、又は本開示の実施を通じて習得される。
【００２０】
本開示の上記及び／又は付加的な特徴及び利点は、下記の図面を参照して実施例を説明することにより、明らかになり、理解しやすくなる。
【図面の簡単な説明】
【００２１】
【図１】本開示の実施例に係る冷蔵庫の概略斜視図である。
【図２】本開示の実施例に係る冷蔵庫の正面図である。
【図３】本開示の実施例に係る冷蔵庫の仕切板の概略図である。
【図４】本開示の実施例に係る冷蔵庫のダクトアセンブリの分解図である。
【図５】本開示の実施例に係るフロントカバーの正面図である。
【図６】本開示の実施例に係るフロントカバーとファンの組立図である。
【図７】本開示の実施例に係る冷蔵庫の筐体の分解斜視図である。
【発明を実施するための形態】
【００２２】
本開示は従来技術における技術的問題の１つを少なくとも解決することを目的とする。そのため、本開示は、ユーザのニーズに応じて冷却室の空間を調整できる冷蔵庫を提供する。
【００２３】
本開示の実施例に係る冷蔵庫によれば、内部に先端が開放している冷却室が画定される筐体と、前記冷却室を開閉するように前記筐体の前方で前記筐体の側壁に回動可能に接続される扉体と、前記筐体に接続された時に前記冷却室を上から下へ順次分布する複数の冷却室に区画するように前記冷却室内で前記筐体に着脱可能に接続される可動の仕切版と、を含む。
【００２４】
本開示の実施例に係る冷蔵庫によれば、可動の仕切版を設けることで、冷蔵庫の冷却室の空間をユーザのニーズに応じて調整することができ、冷蔵庫の冷却室の空間をユーザのニーズに応じてより合理的に運用することができ、冷蔵庫のユーザ体験を向上させ、さらに冷蔵庫の市場シェアの拡大につながる。
【００２５】
本開示の一実施例では、前記冷蔵庫はダクトアセンブリ、ファン及び蒸発器をさらに含み、前記ダクトアセンブリは前記筐体に接続され、前記ダクトアセンブリは、前記ファンを収容するためのファン室、前記蒸発器を収容するための蒸発室、複数の排気ダクト及び還気ダクトを有し、前記ダクトアセンブリは、前記複数の冷却室に一対一に対応する複数組の流通口を有し、各組の流通口は少なくとも１つの排気口及び少なくとも１つの還気口を含む。
【００２６】
いくつかの実施例では、各組の流通口の排気口は、同じ排気ダクトに連通しかつ複数の排気ダクトが互いに連通せず、各前記排気ダクトは、前記ファン室に選択的に連通し、前記蒸発室は、前記還気ダクト及び前記ファン室にそれぞれ連通する。
【００２７】
いくつかの実施例では、各前記排気ダクトと前記ファン室との間にはいずれも開閉可能なダンパが設けられ、前記複数のダンパは互いに独立している。
【００２８】
いくつかの実施例では、前記冷却室の数は２つであり、上冷却室に連通する排気口、還気口、排気ダクト、還気ダクトはそれぞれ第１の排気口、第１の還気口、第１の排気ダクト、第１の還気ダクトであり、下冷却室に連通する排気口、還気口、排気ダクト、還気ダクトはそれぞれ第２の排気口、第２の還気口、第２の排気ダクト、第２の還気ダクトであり、前記第１の排気ダクトの数は２つであり、且つ前記ファン室の左側と右側に対称に分布しており、前記第２の排気ダクトが前記ファン室の下側に位置する。
【００２９】
いくつかの実施例では、前記第１の還気ダクトの数は２つであり、且つ前記第１の排気ダクトの下にそれぞれ位置し、前記第２の排気ダクトは２つの前記第１の還気ダクトの間に位置する。
【００３０】
いくつかの実施例では、前記第２の還気ダクトは前記第２の排気ダクトの下に位置し、且つ２つの前記第１の還気ダクトの間に位置する。
【００３１】
いくつかの実施例では、前記ダクトアセンブリはフロントカバー、リアカバー、及びこれらの間に位置する中間仕切板を含み、前記フロントカバーと前記中間仕切板は共に前記還気ダクト、前記排気ダクト及び前記ファン室を画定し、前記複数組の流通口はいずれも前記フロントカバー上に形成され、前記リアカバー及び前記中間仕切板は蒸発室を画定し、前記中間仕切板は、前記ファン室と前記蒸発室とを連通する第１の貫通孔と、前記還気ダクトと前記蒸発室とを連通する第２の貫通孔と、を有する。
【００３２】
いくつかの実施例では、前記仕切板は前後方向に沿って前記筐体と摺動係合する。
【００３３】
いくつかの実施例では、前記筐体の左側壁と右側壁にそれぞれ左スライドレールと右スライドレールが設けられ、前記左スライドレールと前記右スライドレールは左右方向に一対一に対応し、前記仕切板の左端は前記左スライドレールと前後方向に摺動係合している左スロットを有し、前記仕切板の右端は前記右スライドレールと前後方向に摺動係合している右スロットを有する。
【００３４】
いくつかの実施例では、前記仕切板の前端に前記扉体に対向するシールストリップが設けられる。
【００３５】
本開示の一実施例では、前記筐体の内壁には、取り外された仕切板を仮固定して前記仕切板を前記筐体の内壁に密着させるための位置決め部材がさらに設けられる。
【００３６】
いくつかの実施例では、本開示に係る冷蔵庫は、各前記冷却室に対応する１組の排気口に連通する前記排気ダクト内に位置するサーモスタットをさらに含む。
【００３７】
以下、本開示の実施例について詳細に説明するが、前記実施例の例を図面に示す。なお、以下の説明において、同一又は類似の符号は、同一又は類似のユニット或いは同一又は類似の機能を有するユニットを表す。図面を参照して以下に説明される実施例は例示であり、本開示を解釈するためにのみ使用され、本開示を限定するものとして理解されるべきではない。
【００３８】
以下、図１〜図７を参照して、本開示の実施例に係る冷蔵庫１００について説明する。
【００３９】
図１に示すように、本開示の実施例に係る冷蔵庫１００は、筐体１と、扉体と、可動の仕切版３と、を含む。
【００４０】
筐体１の内部には先端が開放している冷却室が画定され、冷蔵される必要のある物品を収容するために用いられる。扉体は、冷却室を開閉するように筐体１の前方で筐体１の側壁に回動可能に接続される。
【００４１】
扉体を開くと、ユーザは冷却室から冷蔵された物品を取り出しやすくなり、扉体を閉じると、扉体は筐体１と協働して密閉された冷却室を形成し、保温断熱の役割を果たす。
【００４２】
筐体１に接続された時に冷却室を上から下へ順次分布する複数の冷却室に区画するように可動の仕切版３は冷却室内で筐体１に着脱可能に接続され、仕切板３を取り外すと、各冷却室を組み合わせることができ、それによってユーザが大きいサイズの物品を収納しやすくなる。
【００４３】
本開示の実施例に係る冷蔵庫１００によれば、可動の仕切版３を設けることで、冷蔵庫１００の冷却室の空間をユーザのニーズに応じて調整することができ、冷蔵庫１００の冷却室の空間をユーザのニーズに応じてより合理的に運用することができ、冷蔵庫１００のユーザ体験を向上させ、さらに冷蔵庫１００の市場シェアの拡大につながる。
【００４４】
図４に示すように、いくつかの実施例では、冷蔵庫１００は、筐体１に接続されたダクトアセンブリ２、ファン９２及び蒸発器９１をさらに含む。
【００４５】
いくつかの実施例では、ダクトアセンブリ２は、ファン９２を収容するためのファン室、蒸発器９１を収容するための蒸発室、複数の排気ダクト及び還気ダクトを有し、冷蔵庫１００の運転時には、上記の部材が冷却室内の空気を循環させて冷却室内の熱を冷却室外に交換させる。冷蔵庫１００の運転時にはファン９２が作動して冷却室内の空気を還気ダクトから蒸発室に吸い込み、蒸発室内の蒸発器９１が空気の熱を冷蔵庫１００の外に交換して空気を冷やし、ファン９２の作動により冷却室内に風圧が形成され、風圧の影響を受けて冷気がファン室内に流入し、ニーズに応じて対応する排気ダクトから冷却室内に流出し、冷却室内の冷却プロセスが形成される。
【００４６】
いくつかの実施例では、ダクトアセンブリ２は、複数の冷却室に一対一に対応する複数組の流通口を有し、各組の流通口は少なくとも１つの排気口及び少なくとも１つの還気口を含み、各組の流路口は、仕切板３で仕切られた冷却室が相対的に独立して冷却できるように、個別に作動することができる。
【００４７】
図４に示すように、各組の流通口の排気口は、同じ排気ダクトに連通しかつ複数の排気ダクトが互いに連通せず、各排気ダクトは、ファン室に選択的に連通し、蒸発室は、還気ダクト及びファン室にそれぞれ連通し、各組の流路口は個別に作動することができ、各排気ダクトとファン室はニーズに応じて連通状態又は非連通状態になり、ファン室からこれに連通する排気ダクトを通して吹き出される冷気が各冷却室に流入し、ユーザがニーズに応じて各冷却室に冷風が循環しているか否かを制御することで、冷蔵庫１００の実用性を高める。
【００４８】
いくつかの実施例では、図４及び図６に示すように、各排気ダクトとファン室との間にはいずれも開閉可能なダンパ５１が設けられ、複数のダンパ５１は互いに独立しており、このように、ユーザはダンパ５１の開閉を制御することで排気ダクトとファン室を連通又は遮断し、さらに、連通状態にある排気ダクトに対応する排気口から対応する冷却室に空気を吹き出し、遮断状態にある排気ダクトに対応する排気口から冷却室に空気を吹き出さない。
【００４９】
また、ダンパ５１は、構造が簡単で、製造及び設計コストが低いため、冷蔵庫１００の製造コスト及び研究開発コストを効果的に低減することができる。
【００５０】
当然ながら、本開示はこれに限定されず、ダクトアセンブリ２内の排気ダクト、還気ダクト、蒸発室、ファン室内の接続順序は図示の実施例に限定されず、排気ダクトをファン室に接続し、蒸発室をファン室と排気ダクトの間に接続し、その際にダンパ５１を排気ダクトと蒸発室の間に設けることでも、各冷却室に風を供給する排気ダクトの独立作動を実現できる。
【００５１】
図１及び図２に示すように、本開示に係る冷蔵庫１００の一実施例によれば、冷却室の数は２つであり、従って冷蔵庫１００は独立して作動可能な２つの冷却室を有する。
【００５２】
いくつかの実施例では、上冷却室１２１に連通する排気口、還気口、排気ダクト、還気ダクトはそれぞれ第１の排気口６１、第１の還気口６２、第１の排気ダクト５３、第１の還気ダクト５４である。
【００５３】
下冷却室１２２に連通する排気口、還気口、排気ダクト、還気ダクトはそれぞれ第２の排気口６３、第２の還気口６４、第２の排気ダクト５５、第２の還気ダクト５６である。
【００５４】
図６に示すように、第１の排気ダクト５３の数は２つであり、且つファン室の左側と右側に対称に分布しており、第２の排気ダクト５５がファン室の下側に位置する。
【００５５】
上冷却室１２１において、冷却室内の空気循環方向は、第１の還気口６２−第１の還気ダクト５４−蒸発室−ファン室−第１の排気ダクト５３−第１の排気口６１である。
【００５６】
下冷却室１２２において、冷却室内の空気循環方向は、第２の還気口６４−第２の還気ダクト５６−蒸発室−ファン室−第２の排気ダクト５５−第２の排気口６３である。
【００５７】
本開示の実施例に係る冷蔵庫１００によれば、独立して開閉制御可能な排気ダクトを複数設けることで、異なる冷却室の室内空気の循環を制御し、ユーザが冷蔵庫１００内の異なる冷却室の温度を個別に制御することができ、さらに冷蔵庫１００の実用性を高める。
【００５８】
冷蔵庫１００内部の空間に限りがあるため、冷蔵庫１００内の限られた空間を有効活用するために、各ダクトを板状のダクトアセンブリ２内に統合して設計する。
【００５９】
図４及び図６に示すように、板状のダクトアセンブリ２の設計により、第１の還気ダクト５４の数が２つでそれぞれ第１の排気ダクト５３の下に位置し、第２の排気ダクト５５が２つの第１の還気ダクト５４の間に位置し、第２の還気ダクト５６が第２の排気ダクト５５の下に位置し、且つ２つの第１の還気ダクト５４の間に位置する。
【００６０】
ダクトアセンブリ２を板状に設けることにより、各ダクトが独立して作動できる条件下で冷蔵庫１００内の空間を十分に利用し、冷蔵庫１００内の空間をより合理的に利用することができる。図４に示すように、ダクトアセンブリ２を板状に設計し、ダクトアセンブリ２を各組のダクト、ファン室、蒸発室に階層的に設計することで、冷蔵庫１００内の空間をコンパクトにし、合理的に配置することができる。
【００６１】
図４に示すように、ダクトアセンブリ２はフロントカバー６、リアカバー８及びこれらの間に位置する中間仕切板７を含み、フロントカバー６と中間仕切板７は共に還気ダクト、排気ダクト及びファン室を画定し、複数組の流通口はいずれもフロントカバー６上に形成され、つまり、フロントカバー６と中間仕切板７は共にダクト箱を画定し、ダクトアセンブリ２内に還気ダクト、排気ダクトを一体化し、中間仕切板７の中央上部にファン９２を収容するための第１の貫通孔７１が設けられ、中間仕切板７は、フロントカバー６とリアカバー８とで構成される収容空間にファン９２が収容されることを妨げない。
【００６２】
リアカバー８と中間仕切板７は蒸発室を画定し、中間仕切板７は、ファン室と蒸発室とを連通する第１の貫通孔７１と、還気ダクトと蒸発室とを連通する第２の貫通孔７２と、を有し、第１の貫通孔７１と第２の貫通孔７２を設けることで、冷却室内の空気がそれぞれの還気ダクト内にスムーズに流入する。
【００６３】
複数組の流通口はいずれもフロントカバー６上に形成され、これにより、フロントカバー６の流通口から冷却室内に空気を循環させることができる。
【００６４】
本開示の実施例に係る冷蔵庫１００は、フロントカバー６、リアカバー８及び中間仕切板７の配置により、ファン室、蒸発室及び各ダクトをフロントカバー６、中間仕切板７、及びリアカバー８で形成される収容空間内にコンパクトに統合し、且つファン室、蒸発室、各ダクトを冷却室の後方に階層的に配置しているため、冷蔵庫１００内の空間をよりコンパクトで合理的に利用できる。
【００６５】
図１及び図２に示すように、いくつかの実施例では、仕切板３は、前後方向に沿って筐体１と摺動係合し、筐体１の左側壁と右側壁にそれぞれ左スライドレール４ａと右スライドレール４ｂが設けられ、左スライドレール４ａと右スライドレール４ｂは左右方向に一対一に対応し、仕切板３の左端は、左スライドレール４ａと前後方向に摺動係合している左スロット３１を有し、仕切板３の右端は、右スライドレール４ｂと前後方向に摺動係合している右スロット３１を有する。
【００６６】
仕切板３を取り付ける場合は、仕切板３の左スロット３１と右スロット３１をそれぞれ筐体１における左スライドレール４ａと右スライドレール４ｂに合わせ、その後仕切板３を左スライドレール４ａと右スライドレール４ｂの延在方向に冷蔵庫１００内に押し込めばよく、仕切板３を取り外す場合は逆になるため、ここでは繰り返さない。
【００６７】
スライドレール４とスロット３１との係合構造が簡単で操作が容易であり、冷蔵庫１００の製造コストを低減し、ユーザが仕切板３を着脱する作業も容易になる。
【００６８】
図３に示すように、仕切板３の先端には扉体に対向するシールストリップ３２が設けられてもよく、シールストリップ３２は、扉体が閉じられた時に各冷却室を互いに独立させ、扉体にて各冷却室を完全に遮断して各冷却室間の熱交換を減らし、さらに各冷却室の室内温度を維持しやすくなる。
【００６９】
いくつかの実施例では、また、筐体１の内壁には、取り外された仕切板３を仮固定して仕切板３を筐体１の内壁に密着させるための位置決め部材（図示せず）が設けられ、位置決め部材は、取り外された仕切板３の収納をユーザにとって容易にし、冷蔵庫１００の実用性を高め、冷蔵庫１００のユーザ体験を向上させる。
【００７０】
本開示の実施例に係る冷蔵庫１００は、各冷却室に対応する１組の排気口に連通する排気ダクト内に位置するサーモスタット９３をさらに含んでもよい。サーモスタット９３は、冷却室内の温度を検出し、判定結果に応じてダンパ５１の開閉を制御するために用いられ、空間内の全体温度が所定値よりも高い場合には上下の排気口に対応するダンパ５１を同時に開いたり部分的に開いたりして、予め設定された温度が満たされるまで各冷却室を降温し、次のサイクルが再び開かれるまで排気口に対応するダンパ５１を閉じる。
【００７１】
サーモスタット９３を設けることにより、ユーザはニーズに応じて、冷却室が仕切り板３で仕切られている場合は、サーモスタット９３を調整して適切な温度を選択してそれぞれを個別に制御し、仕切板３を取り外すと、各冷却室が連通して大きな冷却室を形成し、この際、各排気ダクトに接続された排気口の風量を前述のように制御してもよく、判定条件を再生成して、各サーモスタット９３の検出構造を総合的に考慮して各ダクトを制御してもよく、これによって冷蔵庫１００がユーザの設定に応じて自動的に作動し、各冷却室の温度に対する顧客のニーズに応え、冷蔵庫１００の操作手順をより簡単で便利にする。
【００７２】
以下、図１〜図６を参照して本開示の一実施例について説明する。
【００７３】
図１及び図２に示すように、本開示の実施例の冷蔵庫１００は、片開き式であり、上下方向に順次分布している２つの冷却室を有する冷蔵庫１００であり、当該冷蔵庫１００は２つの冷却室をそれぞれ閉じるための２つの扉体を有し、上の冷却室は温度が比較的高い冷蔵室１１であり、下方の冷却室は冷凍用の冷凍室１２であり、仕切板３は冷蔵庫１００の下部の冷凍室１２内に取り付けられ、且つ仕切板３は、上記冷凍室１２を２つの独立した冷却室に仕切る。
【００７４】
図３に示すように、仕切板３の左右両側にはそれぞれ左スライドレール４ａと右スライドレール４ｂが設けられ、下冷凍室１２の側壁の上下方向に沿った中間部分には左スライドレール４ａと右スライドレール４ｂに係合する左スロット３１と右スロット３１が設けられ、左スロット３１は左スライドレール４ａに係合し、右スロット３１は右スライドレール４ｂに係合し、仕切板３がスロット３１を介してスライドレール４に係合すると、冷凍室１２は２つの冷凍間室に区画され、仕切板３を取り外すと、冷凍室１２は一体の収容空間となることが理解できる。また、仕切板３の前端に扉体に対向するシールストリップ３２が設けられ、扉体が閉じられた時にシールストリップ３２は扉体における上冷却室１２１と下冷却室１２２とをシールして上冷却室１２１と下冷却室１２２との熱交換を防止し、上冷却室１２１及び下冷却室１２２の独立した作動を確保する。
【００７５】
図４に示すように、冷蔵庫１００の内壁にダクトアセンブリ２がさらに設けられ、ダクトアセンブリ２はフロントカバー６、リアカバー８、及びこれらの間に位置する中間仕切板７を含み、フロントカバー６に複数組の流通口が開設され、これらの流通口は冷蔵庫１００内の空気循環に必要な排気口及び還気口としてそれぞれ利用できる。
【００７６】
仕切板３が冷凍室１２を上冷却室１２１と下冷却室１２２という２つの冷凍間室に区画すると、図１及び図２に示すように、仕切板３が冷凍室１２を上冷却室１２１と下冷却室１２２に区画するため、排気ダクトと還気ダクトはそれぞれ２組設けられ、それに対応して排気口と還気口も２組設けられる。
【００７７】
図６に示すように、上冷却室１２１に連通する排気口、還気口、排気ダクト、還気ダクトはそれぞれ第１の排気口６１、第１の還気口６２、第１の排気ダクト５３、第１の還気ダクト５４である。
【００７８】
下冷却室１２２に連通する排気口、還気口、排気ダクト、還気ダクトはそれぞれ第２の排気口６３、第２の還気口６４、第２の排気ダクト５５、第２の還気ダクト５６である。
【００７９】
フロントカバー６に開設される複数組の流通口は第１の排気口６１、第１の還気口６２、第２の排気口６３及び第２の還気口６４であり、第１の排気口６１は４つを有し、第１の還気口６２は２つを有し、４つの第１の排気口６１は第１の還気口６２の上に分布し、且つ隣接している２つの第１の排気口６１は冷蔵庫１００の上下方向又は左右方向に沿って間隔をあけて設けられ、２つの第１の還気口６２は冷蔵庫１００の左右方向に沿って間隔をあけて設けられ、第２の排気口６３は４つを有し、第２の還気口６４は２つを有し、４つの第２の排気口６３は第２の還気口６４の上に分布し、且つ隣接している２つの第２の排気口６３は冷蔵庫１００の上下方向又は左右方向に沿って間隔をあけて設けられ、２つの第２の還気口６４は冷蔵庫１００の左右方向に沿って間隔をあけて設けられる。
【００８０】
フロントカバー６とリアカバー８とが協働して収容空間を形成し、排気ダクトと還気ダクトとが収容空間に一体化されており、図４に示すように、フロントカバー６の還気口から空気が還気ダクトに流入し、蒸発器９１によって最終的に冷却され、排気ダクトを通過して排気口から冷却室に流入する。
【００８１】
仕切板３が冷凍室１２を２つの冷却室に区画すると、第１の還気口６２と第２の還気口６４とから、第１の還気ダクト５４と第２の還気ダクト５６とに空気が流入し、それぞれのダクト内を流れることができ、中間仕切板７の第２の貫通孔７２を介して中間仕切板７とリアカバー８によって構成される蒸発室内に流入し、空気は蒸発室内で蒸発器９１と熱交換して冷却され、冷却された空気はファン９２に吸引されて、中間仕切板７に開設された第１の貫通孔７１から第１の排気ダクト５３又は第２の排気ダクト５５内に流入し、そして、ファン９２の発生する風圧により、第１の排気口６１又は第２の排気口６３から対応する冷却室に流入し、冷蔵庫１００内における空気の循環を完了する。
【００８２】
図４〜図６に示すように、本開示の実施例に係る冷蔵庫１００はさらに２つのサーモスタット９３及び複数のダンパ５１を含み、複数のダンパ５１はダクトアセンブリ２内に位置し、排気口を開閉するために用いられ、サーモスタット９３は冷却室内の温度を検出し設定された基準値に応じてダンパ５１の開閉を制御するために用いられ、２つのサーモスタット９３は第１の排気口６１と第１の還気口６２との間又は第２の排気口６３と第２の還気口６４との間にそれぞれ位置し、空気が排気口又は還気口の間を流れるため、サーモスタット９３を排気口と還気口との間に取り付けることで温度検出結果の精度を高め、冷却室内の温度をより効果的に検出できる。
【００８３】
以下、図４〜図７を参照して冷蔵庫１００の冷却室の温度制御のプロセスについて簡単に説明する。
【００８４】
仕切板３が冷凍室１２を上冷却室１２１と下冷却室１２２に区画すると、上冷却室１２１を例として、サーモスタット９３は上冷却室１２１内の温度が設定された温度より低いと検出した場合、サーモスタット９３は第１の排気口６１のダンパ５１を閉鎖するように制御することで、空気が第１の排気ダクト５３から流出せず、さらに上冷却室１２１の冷却を停止し、サーモスタット９３は上冷却室１２１内の温度が設定された温度より高いと検出した場合、サーモスタット９３は第１の排気口６１のダンパ５１を開くように制御し、冷却された空気が第１の排気口６１から流出し、さらに上冷却室１２１を冷却する。下冷却室１２２のサーモスタット９３の作動プロセスと上冷却室１２１のサーモスタット９３の作動プロセスは同じであるため、ここでは繰り返さない。
【００８５】
仕切板３を取り外すと、上冷却室１２１及び下冷却室１２２は一体の冷凍室１２になり、このとき、２つのサーモスタット９３は、冷凍室１２の温度を共に検出してもよく、特定の温度コントローラ９３は、冷凍室１２内の温度を検出してもよく、サーモスタット９３が冷凍室１２内の温度が設定された温度より低いと検出した場合、サーモスタット９３は第１の排気口６１及び第２の排気口６３のダンパ５１を閉鎖するように制御することで、空気が第１の排気ダクト５３及び第２の排気ダクト５５から流出せず、さらに上冷凍室１２の冷却を停止し、サーモスタット９３は冷凍室１２内の温度が設定された温度より高いと検出した場合、サーモスタット９３は第１の排気口６１及び第２の排気口６３のダンパ５１を開くように制御し、冷却された空気が第１の排気口６１及び第２の排気口６３から流出し、さらに冷凍室１２を冷却する。
【００８６】
本開示の実施例に係る冷蔵庫１００によれば、ドアパネルを設けることで冷凍室１２を上冷却室１２１と下冷却室１２２に区画し、且つ相対的に独立して作動できるダクトを設けることで２つの冷却室は独立して冷却作業を完了でき、サーモスタット９３及びダンパ５１を設けることで、冷蔵庫１００はユーザのニーズに応じて２つの冷却室のダクトの開閉を制御し、さらに２つの冷却室の温度を制御することができ、冷蔵庫１００は、より多様な使用形態を有し、冷蔵庫１００に対する異なるユーザの異なる使用ニーズを満たすことができる。
【００８７】
本開示の説明では、用語「中心」、「縦方向」、「横方向」、「長さ」、「幅」、「厚さ」、「上」、「下」、「前」、「後」、「左」、「右」、「垂直」、「水平」、「上面」、「底面」、「内側」、「外側」、「時計回り」、「反時計回り」、「軸方向」、「径方向」、「周方向」などで示される方位又は位置の関係は、図面に示される方位又は位置の関係に基づいており、本開示の説明及び説明の簡略化の便宜のためだけであり、指示された構造又はユニットが特定の方位を有し、特定の方位で構成され、動作しなければならないことを指示又は示唆しないため、本開示に対する限定として理解され得ない。さらに、「第１」及び「第２」として限定されている特徴には、明示的又は暗黙的に１つ以上の特徴を含んでもよい。本開示の説明において、特に断りのない限り、「複数」は２つ以上を意味する。
【００８８】
本発明の説明において、「一実施例」、「いくつかの実施例」、「例示的な実施例」、「例」、「具体的な例」、或いは「一部の例」などの用語を参考にした説明とは、当該実施例或いは例に関連して説明された具体的な特徴、構成、材料或いは特性が、本開示の少なくとも１つの実施例或いは例に含まれることである。本明細書において、上記用語に対する例示的な説明は、必ずしも同じ実施例或いは例を示すものではない。また、説明された具体的な特徴、構成、材料或いは特性は、いずれか１つ或いは複数の実施例又は例において適切に組み合わせることができる。
【００８９】
以上、本開示の実施例を示して説明したが、本開示の要旨を逸脱しない範囲において上記実施例に対して種々の変更、修正、取り替え、変形を行うことができることは当業者に理解されるところである。本開示の範囲は、特許請求の範囲とその同等物によって限定される。
【符号の説明】
【００９０】
１００  冷蔵庫
１  筐体
１１  冷蔵室
１２  冷凍室
１２１  上冷却室
１２２  下冷却室
２  ダクトアセンブリ
３  仕切板
３１  スロット
３２  シールストリップ
４  スライドレール
４ａ  左スライドレール
４ｂ  右スライドレール
５１  ダンパ
５３  第１の排気ダクト
５４  第１の還気ダクト
５５  第２の排気ダクト
５６  第２の還気ダクト
６  フロントカバー
６１  第１の排気口
６２  第１の還気口
６３  第２の排気口
６４  第２の還気口
７  中間仕切板
７１  第１の貫通孔
７２  第２の貫通孔
８  リアカバー
９１  蒸発器
９２  ファン
９３  サーモスタット
【図１】
2021503067.tif 000003
【図２】
2021503067.tif 000004
【図３】
2021503067.tif 000005
【図４】
2021503067.tif 000006
【図５】
2021503067.tif 000007
【図６】
2021503067.tif 000008
【図７】
2021503067.tif 000009
【国際調査報告】
2021503067.tif 000010
2021503067.tif 000011
2021503067.tif 000012
2021503067.tif 000013